【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
外部機器と無線通信及び有線通信で接続することが可能な撮像装置であって、
ファインダーと、
ファインダーへの接眼を検知する接眼検知手段と、
前記外部機器と前記無線通信で接続している状態で、前記接眼検知手段により接眼を検知した場合、前記外部機器の表示部を消灯するための制御を行わず、
前記外部機器と前記有線通信で接続している状態で、前記接眼検知手段により接眼を検知した場合、前記外部機器の表示部を消灯するための制御を行う制御手段とを備えたことを特徴とする撮像装置。
【請求項２】
前記外部機器の表示部を消灯するための制御は、前記外部機器への、接眼をしたことを示す情報の通知であることを特徴とする請求項１に記載の撮像装置。
【請求項３】
外部機器と無線通信及び有線通信で接続することが可能な撮像装置であって、
ファインダーと、
ファインダーへの接眼を検知する接眼検知手段と、
前記外部機器と前記無線通信で接続している状態で、前記接眼検知手段により接眼を検知した場合、前記外部機器へ接眼をしたことを示す情報を送信せず、
前記外部機器と前記有線通信で接続している状態で、前記接眼検知手段により接眼を検知した場合、前記外部機器へ接眼をしたことを示す情報を送信するように制御する制御手段とを備えたことを特徴とする撮像装置。
【請求項４】
前記制御手段は、前記外部機器と無線通信で接続している状態で、前記接眼検知手段により接眼を検知した場合、前記外部機器からの該撮像装置の操作を禁止するよう制御することを特徴とする請求項１乃至３のいずれか１項に記載の撮像装置。
【請求項５】
撮像した画像を表示する表示手段を更に有し、
前記制御手段は、前記外部機器と前記無線通信で接続しているか前記有線通信で接続しているかに関わらず、前記接眼検知手段により接眼を検知した場合に前記表示手段を消灯するよう制御することを特徴とする請求項１乃至４のいずれか１項に記載の撮像装置。
【請求項６】
撮像したライブビュー画像を前記外部機器に送信する送信手段を更に有し、
前記送信手段は、前記外部機器と前記有線通信で接続している場合、前記有線通信で前記ライブビュー画像を前記外部機器に送信し、前記外部機器と前記無線通信で接続している場合、前記無線通信で前記ライブビュー画像を前記外部機器に送信することを特徴とする請求項１乃至５のいずれか１項に記載の撮像装置。
【請求項７】
前記外部機器との接続において、前記無線通信よりも前記有線通信を優先して用いることを特徴とする請求項１乃至６のいずれか１項に記載の撮像装置。
【請求項８】
外部機器と無線通信で接続することが可能な撮像装置であって、
ファインダーと、
ファインダーへの接眼を検知する接眼検知手段と、
前記外部機器と前記無線通信で接続している状態で、前記接眼検知手段により接眼を検知した場合、前記外部機器の表示部に対して行われた該撮像装置に対する操作を禁止するように制御する制御手段とを備えたことを特徴とする撮像装置。
【請求項９】
外部機器と、前記外部機器と無線通信及び有線通信で接続することが可能な撮像装置とを含む撮像システムであって、
前記撮像装置は、
ファインダーと、
ファインダーへの接眼を検知する接眼検知手段とを有し、
前記外部機器は、
前記撮像装置と前記無線通信で接続している状態で、前記接眼検知手段により接眼が検知された場合、当該外部機器の表示部を消灯せず、
前記撮像装置と前記有線通信で接続している状態で、前記接眼検知手段により接眼が検知された場合、当該外部機器の表示部を消灯するように制御する制御手段と
を備えたことを特徴とする撮像システム。
【請求項１０】
撮像装置と無線通信及び有線通信で接続することが可能な外部機器であって、
前記撮像装置と前記無線通信で接続している状態で、前記撮像装置のファインダーへの接眼が検知された場合、当該外部機器の表示部を消灯せず、
前記撮像装置と前記有線通信で接続している状態で、前記撮像装置のファインダーへの接眼が検知された場合、当該外部機器の表示部を消灯するように制御する制御手段を備えたことを特徴とする外部機器。
【請求項１１】
前記制御手段は、前記撮像装置と前記無線通信で接続している状態で、前記撮像装置のファインダーへの接眼が検知された場合、該外部機器からの前記撮像装置に対する操作を無効とするように制御することを特徴とする請求項１０に記載の外部機器。
【請求項１２】
撮像装置と無線通信で接続することが可能な外部機器であって、
表示部と、
前記撮像装置と前記無線通信で接続している状態で、前記表示部への操作によって前記撮像装置に対する操作を受け付ける受付手段と、
前記撮像装置と前記無線通信で接続している状態で、前記撮像装置のファインダーへの接眼が検知された場合、前記表示部に対して行われる前記撮像装置に対する操作を無効とするように制御する制御手段とを備えたことを特徴とする外部機器。
【請求項１３】
前記制御手段は更に、前記撮像装置と前記無線通信で接続している状態で、前記撮像装置のファインダーへの接眼が検知された場合、前記表示部に、該外部機器からの前記撮像装置に対する操作が無効となっていることを示す表示を行うことを特徴とする請求項１１又は１２に記載の外部機器。
【請求項１４】
前記撮像装置に対する操作は、レリーズ操作又は撮影パラメータの変更操作であることを特徴とする請求項１１乃至１３のいずれか１項に記載の外部機器。
【請求項１５】
外部機器と無線通信及び有線通信で接続することが可能な撮像装置の制御方法であって、
前記外部機器と前記無線通信で接続している状態で、ファインダーへの接眼を検知する接眼検知手段により接眼を検知した場合、前記外部機器の表示部を消灯するための制御を行わず、
前記外部機器と前記有線通信で接続している状態で、前記接眼検知手段により接眼を検知した場合、前記外部機器の表示部を消灯するための制御を行うステップを有することを特徴とする撮像装置の制御方法。
【請求項１６】
外部機器と無線通信及び有線通信で接続することが可能な撮像装置の制御方法であって、
前記外部機器と前記無線通信で接続している状態で、ファインダーへの接眼を検知する接眼検知手段により接眼を検知した場合、前記外部機器へ接眼をしたことを示す情報を送信せず、
前記外部機器と前記有線通信で接続している状態で、前記接眼検知手段により接眼を検知した場合、前記外部機器へ接眼をしたことを示す情報を送信するように制御するステップを有することを特徴とする撮像装置の制御方法。
【請求項１７】
外部機器と無線通信で接続することが可能な撮像装置の制御方法であって、
前記外部機器と前記無線通信で接続している状態で、ファインダーへの接眼を検知する接眼検知手段により接眼を検知した場合、前記外部機器の表示部に対して行われた該撮像装置に対する操作を禁止するように制御するステップを有することを特徴とする撮像装置の制御方法。
【請求項１８】
外部機器と、前記外部機器と無線通信及び有線通信で接続することが可能な撮像装置とを含む撮像システムの制御方法であって、
前記外部機器は、
前記撮像装置と前記無線通信で接続している状態で、前記撮像装置のファインダーへの接眼が検知された場合、当該外部機器の表示部を消灯せず、
前記撮像装置と前記有線通信で接続している状態で、前記撮像装置のファインダーへの接眼が検知された場合、当該外部機器の表示部を消灯するように制御するステップを実行することを特徴とする撮像システムの制御方法。
【請求項１９】
撮像装置と無線通信及び有線通信で接続することが可能な外部機器の制御方法であって、
前記撮像装置と前記無線通信で接続している状態で、前記撮像装置のファインダーへの接眼が検知された場合、当該外部機器の表示部を消灯せず、
前記撮像装置と前記有線通信で接続している状態で、前記撮像装置のファインダーへの接眼が検知された場合、当該外部機器の表示部を消灯するように制御するステップを有することを特徴とする外部機器の制御方法。
【請求項２０】
撮像装置と無線通信で接続することが可能な外部機器の制御方法であって、
前記撮像装置と前記無線通信で接続している状態で、当該外部機器の表示部への操作によって前記撮像装置に対する操作を受け付けるステップと、
前記撮像装置と前記無線通信で接続している状態で、前記撮像装置のファインダーへの接眼が検知された場合、前記表示部に対して行われる前記撮像装置に対する操作を無効とするように制御するステップとを有することを特徴とする外部機器の制御方法。
【請求項２１】
コンピュータを、請求項１乃至８のいずれか１項に記載された撮像装置の各手段として機能させるためのプログラム。
【請求項２２】
コンピュータを、請求項１乃至８のいずれか１項に記載された撮像装置の各手段として機能させるためのプログラムを格納したコンピュータが読み取り可能な記憶媒体。
【請求項２３】
コンピュータを、請求項１０乃至１４のいずれか１項に記載された外部機器の各手段として機能させるためのプログラム。
【請求項２４】
コンピュータを、請求項１０乃至１４のいずれか１項に記載された外部機器の各手段として機能させるためのプログラムを格納したコンピュータが読み取り可能な記憶媒体。
【手続補正２】
【補正対象書類名】明細書
【補正対象項目名】０００１
【補正方法】変更
【補正の内容】
【０００１】
本発明は、撮像装置、撮像システム、外部機器、それらの制御方法、プログラム及び記憶媒体に関する。
【手続補正３】
【補正対象書類名】明細書
【補正対象項目名】０００６
【補正方法】変更
【補正の内容】
【０００６】
本発明の撮像装置は、外部機器と無線通信及び有線通信で接続することが可能な撮像装置であって、ファインダーと、ファインダーへの接眼を検知する接眼検知手段と、前記外部機器と前記無線通信で接続している状態で、前記接眼検知手段により接眼を検知した場合、前記外部機器の表示部を消灯するための制御を行わず、前記外部機器と前記有線通信で接続している状態で、前記接眼検知手段により接眼を検知した場合、前記外部機器の表示部を消灯するための制御を行う制御手段とを備えたことを特徴とする。